(57)【要約】      （修正有）【課題】ユーザの利便性が向上する放送処理装置を提供すること。【解決手段】放送処理装置１は、複数の番組データを格納する記憶装置３と、受信部２−１、２−２、２−３と、表示装置６と、制御装置４とを具備している。複数の番組データの各々は、記憶装置３から記録媒体１０に移動するムーブ処理が実行可能か否かを表すムーブ情報を含んでいる。制御装置４は、ユーザによる番組表表示指示に応じて、記憶装置３に格納された複数の番組データを表す番組表画面を生成し、表示装置６に表示する。制御装置４は、ユーザによる番組ムーブ指示に応じて、選択番組データのムーブ情報がムーブ処理の実行可能を表す場合、選択番組データに対してムーブ処理を実行する。制御装置４は、選択番組データに対してムーブ処理が実行されたことを表す選択番組ムーブ実行情報を、番組表画面が表す選択番組データに対応する部分に表示する。【選択図】図１
2006279503.tif 000002
【特許請求の範囲】
【請求項１】
記憶装置と、
サーバから送信されたテレビ放送用の番組を表す複数の番組データを受信して前記記憶装置に格納する受信部と、
表示装置と、
制御装置とを具備し、
前記複数の番組データの各々は、前記記憶装置から記録媒体に移動するムーブ処理が実行可能か否かを表すムーブ情報を含み、
前記制御装置は、
ユーザによる番組表表示指示に応じて、前記記憶装置に格納された前記複数の番組データを表す番組表画面を生成し、前記表示装置に表示する表示制御部と、
ユーザによる番組ムーブ指示に応じて、前記番組表画面が表す前記複数の番組データのうちの選択番組データを選択する選択制御部と、
前記選択番組データの前記ムーブ情報が前記ムーブ処理の実行可能を表す場合、前記選択番組データに対して前記ムーブ処理を実行するムーブ制御部とを具備し、
前記表示制御部は、
前記選択番組データに対して前記ムーブ処理が実行されたことを表す選択番組ムーブ実行情報を、前記番組表画面が表す前記選択番組データに対応する部分に表示する
放送処理装置。
【請求項２】
請求項１に記載の放送処理装置において、
前記複数の番組データの各々は、番組を識別する番組識別子を含み、
前記表示制御部は、
ユーザによる前記番組表表示指示に応じて、前記記憶装置に格納された前記複数の番組データの中から、前記番組識別子が同じであり、前記ムーブ情報が前記ムーブ処理の実行可能を表すｎ個（ｎは１以上の整数）の番組データを検索し、
前記ｎ個の番組データに対して前記ムーブ処理が可能な回数を表すムーブ可能回数ｎを生成し、
前記ｎ個の番組データは、前記選択番組データを含み、
前記表示制御部は、
前記番組表画面を前記表示装置に表示したとき、前記ムーブ可能回数ｎを、前記番組表画面が表す前記ｎ個の番組データ上に表示する
放送処理装置。
【請求項３】
請求項２に記載の放送処理装置において、
前記ムーブ可能回数ｎが２以上である場合、
前記ムーブ制御部は、
ユーザが前記選択番組データに対するムーブ決定指示を行なったとき、前記ｎ個の番組データを、前記選択番組データを含む（ｎ−１）個の番組データと、それ以外の番組データである削除候補番組データとに分け、前記削除候補番組データに対して前記ムーブ処理を実行し、
前記表示制御部は、
前記選択番組ムーブ実行情報として、前記削除候補番組データに対して前記ムーブ処理が実行されたことを表す削除候補番組ムーブ実行情報を、前記番組表画面が表す前記削除候補番組データに対応する部分に表示し、
前記ムーブ可能回数ｎに１をデクリメントしたムーブ可能回数（ｎ−１）を生成し、前記番組表画面が表す前記（ｎ−１）個の番組データ上に表示する
放送処理装置。
【請求項４】
請求項３に記載の放送処理装置において、
前記ムーブ可能回数ｎが１である場合、
前記ムーブ制御部は、
ユーザが前記選択番組データに対する前記ムーブ決定指示を行なったとき、前記選択番組データに対して前記ムーブ処理を実行し、
前記表示制御部は、
前記選択番組ムーブ実行情報を、前記番組表画面が表す前記選択番組データに対応する部分に表示する
放送処理装置。
【請求項５】
請求項１〜４のいずれかに記載の放送処理装置において、
前記表示制御部は、
前記ムーブ制御部が前記選択番組データに対して前記ムーブ処理を実行したとき、ムーブ実行結果入力画面を前記表示装置に表示し、
前記ムーブ実行結果入力画面は、
前記記録媒体を識別する記録媒体識別子をユーザに入力させる記録媒体識別子入力欄を含み、
前記表示制御部は、
ユーザが前記記録媒体識別子を前記記録媒体識別子入力欄に入力したとき、前記記録媒体識別子を含む前記選択番組ムーブ実行情報を、前記番組表画面が表す前記選択番組データに対応する部分に表示する
放送処理装置。
【請求項６】
請求項５に記載の放送処理装置において、
前記記録媒体は、携帯端末の記憶部であり、
前記記録媒体識別子は、前記携帯端末の電話番号とメールアドレスとＭＡＣアドレスとＩＰアドレスとの少なくとも１つを含む
放送処理装置。
【請求項７】
請求項１〜６のいずれかに記載の放送処理装置において、
前記受信部は、複数のチャンネルに対して番組データ群を前記記憶装置に格納し、
前記複数の番組データは、前記複数のチャンネルに対する前記番組データ群を表す
放送処理装置。
【請求項８】
記憶装置と、サーバから送信されたテレビ放送用の番組を表す複数の番組データを受信して前記記憶装置に格納する受信部と、表示装置とに接続されたコンピュータを用いた放送処理方法であって、
前記複数の番組データの各々は、前記記憶装置から記録媒体に移動するムーブ処理が実行可能か否かを表すムーブ情報を含み、
前記放送処理方法は、
ユーザによる番組表表示指示に応じて、前記記憶装置に格納された前記複数の番組データを表す番組表画面を生成し、前記表示装置に表示するステップと、
ユーザによる番組ムーブ指示に応じて、前記番組表画面が表す前記複数の番組データのうちの選択番組データを選択するステップと、
前記選択番組データの前記ムーブ情報が前記ムーブ処理の実行可能を表す場合、前記選択番組データに対して前記ムーブ処理を実行するステップと、
前記選択番組データに対して前記ムーブ処理が実行されたことを表す選択番組ムーブ実行情報を、前記番組表画面が表す前記選択番組データに対応する部分に表示するステップと
を具備する放送処理方法。
【請求項９】
請求項８に記載の放送処理方法において、
前記複数の番組データの各々は、番組を識別する番組識別子を含み、
前記放送処理方法は、更に、
ユーザによる前記番組表表示指示に応じて、前記記憶装置に格納された前記複数の番組データの中から、前記番組識別子が同じであり、前記ムーブ情報が前記ムーブ処理の実行可能を表すｎ個（ｎは１以上の整数）の番組データを検索するステップと、
前記ｎ個の番組データに対して前記ムーブ処理が可能な回数を表すムーブ可能回数ｎを生成するステップとを具備し、
前記ｎ個の番組データは、前記選択番組データを含み、
前記放送処理方法は、更に、
前記番組表画面を前記表示装置に表示したとき、前記ムーブ可能回数ｎを、前記番組表画面が表す前記ｎ個の番組データ上に表示するステップ
を具備する放送処理方法。
【請求項１０】
請求項９に記載の放送処理方法において、
更に、
前記ムーブ可能回数ｎが２以上である場合、
ユーザが前記選択番組データに対するムーブ決定指示を行なったとき、前記ｎ個の番組データを、前記選択番組データを含む（ｎ−１）個の番組データと、それ以外の番組データである削除候補番組データとに分けるステップと、
前記削除候補番組データに対して前記ムーブ処理を実行するステップと、
前記選択番組ムーブ実行情報として、前記削除候補番組データに対して前記ムーブ処理が実行されたことを表す削除候補番組ムーブ実行情報を、前記番組表画面が表す前記削除候補番組データに対応する部分に表示するステップと、
前記ムーブ可能回数ｎに１をデクリメントしたムーブ可能回数（ｎ−１）を生成するステップと、
前記ムーブ可能回数（ｎ−１）を、前記番組表画面が表す前記（ｎ−１）個の番組データ上に表示するステップと
を具備する放送処理方法。
【請求項１１】
請求項１０に記載の放送処理方法において、
更に、
前記ムーブ可能回数ｎが１である場合、
ユーザが前記選択番組データに対する前記ムーブ決定指示を行なったとき、前記選択番組データに対して前記ムーブ処理を実行するステップと、
前記選択番組ムーブ実行情報を、前記番組表画面が表す前記選択番組データに対応する部分に表示するステップと
を具備する放送処理方法。
【請求項１２】
請求項８〜１１のいずれかに記載の放送処理方法において、
更に、
前記ムーブ制御部が前記選択番組データに対して前記ムーブ処理を実行したとき、ムーブ実行結果入力画面を前記表示装置に表示するステップを具備し、
前記ムーブ実行結果入力画面は、前記記録媒体を識別する記録媒体識別子をユーザに入力させる記録媒体識別子入力欄を含み、
前記放送処理方法は、更に、
ユーザが前記記録媒体識別子を前記記録媒体識別子入力欄に入力したとき、前記記録媒体識別子を含む前記選択番組ムーブ実行情報を、前記番組表画面が表す前記選択番組データに対応する部分に表示するステップを
具備する放送処理方法。
【請求項１３】
請求項１２に記載の放送処理方法において、
前記記録媒体は、携帯端末の記憶部であり、
前記記録媒体識別子は、前記携帯端末の電話番号とメールアドレスとＭＡＣアドレスとＩＰアドレスとの少なくとも１つを含む
放送処理方法。
【請求項１４】
請求項８〜１３のいずれかに記載の放送処理方法において、
前記受信部は、複数のチャンネルに対して番組データ群を前記記憶装置に格納し、
前記複数の番組データは、前記複数のチャンネルに対する前記番組データ群を表す
放送処理方法。
【請求項１５】
請求項８〜１３のいずれかに記載の放送処理方法を前記コンピュータに実行させるコンピュータプログラム。
【発明の詳細な説明】
【技術分野】
【０００１】
本発明は、テレビ放送用の番組データを受信する放送処理装置に関する。
【背景技術】
【０００２】
近年、サーバから送信されたテレビ放送用の番組を表す番組データを受信して、記憶装置としてハードディスクドライブに格納する放送処理装置が普及されている。サーバと放送処理装置とはネットワークに接続されている。放送処理装置は、上記の記憶装置と、番組データを受信して記憶装置に格納する受信部と、出力装置と、制御装置とを具備している。出力装置は、表示装置と、スピーカとを含んでいる。
【０００３】
番組データは、動画像データと音声データとを含んでいる。制御装置は、ユーザによる番組データ出力指示に応じて、記憶装置に格納された番組データをデコードし、その番組データの動画像データを表示装置に表示し、その番組データの音声データをスピーカに出力する。このように、ユーザは、記憶装置に格納された番組データを視聴することができる。
【０００４】
しかし、番組データには、著作権保護が実施されている（例えば、特許文献１）。即ち、記憶装置に格納された番組データを複製することは、番組提供者の意図に従って制限される。この場合、ユーザは、番組データを記憶装置から記録媒体（別の記憶装置）に移動するムーブ処理を放送処理装置に実行させることにより、記録媒体によりユーザの都合がいいときに番組データを楽しむことができる。
【０００５】
その場合、番組データは、更に、著作権情報として、ムーブ処理が実行可能か否かを表すムーブ情報を含んでいる。制御装置は、ユーザによる番組ムーブ指示に応じて、番組データのムーブ情報がムーブ処理の実行可能を表すか否かを調べる。その結果、番組データのムーブ情報がムーブ処理の実行可能を表す場合、制御装置は、番組データに対してムーブ処理を実行する。即ち、制御装置は、記憶装置に格納された番組データを読み出して記録媒体にコピー（格納）し、記憶装置に格納された番組データを消去する。
【０００６】
ここで、コピーに関する技術を紹介する。
【０００７】
特開２００３−１６７２５号公報（特許文献１）には、コンテンツ提供者のムーブ、ポーズの著作権保護を可能とするコンテンツデータの送信装置および送信方法、並びにコンテンツデータの処理装置および処理方法が記載されている。
コンテンツデータの送信装置は、コンテンツデータを発生する発生手段と、付加情報を発生する情報発生手段と、データ発生手段より発生されたコンテンツデータに、情報発生手段より発生された付加情報を多重して送信する送信手段とを備えている。付加情報は、コンテンツデータを、コピーが禁止されていない場合、一の記録装置からコピーの世代情報を変えずに他の記録装置に移動するムーブ処理が可能か否かを示すムーブ情報を含んでいる。または、付加情報は、コンテンツデータを、コピーが禁止されている場合、出力装置に出力せずに記録装置に蓄積し、その後に記録装置から出力装置に出力するポーズ処理が可能か否かを示すポーズ情報を含んでいる。
【０００８】
特開平１１−１７６１４２号公報（特許文献２）には、コピー元からコピー先の記録媒体に対してデータを移動させる編集の作業効率を向上させる編集装置が記載されている。
【０００９】
【特許文献１】特開２００３−１６７２５号公報
【特許文献２】特開平１１−１７６１４２号公報
【発明の開示】
【発明が解決しようとする課題】
【００１０】
本発明の課題は、ユーザの利便性が向上する放送処理装置を提供することにある。
【課題を解決するための手段】
【００１１】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１２】
本発明の第１の観点による放送処理装置（１）について説明する。
本発明の放送処理装置（１）は、記憶装置（３）と、サーバ（１００−１、１００−２、１００−３）から送信されたテレビ放送用の番組を表す複数の番組データを受信して前記記憶装置（３；３−１、３−２、３−３）に格納する受信部（２−１、２−２、２−３）と、表示装置（６）と、制御装置（４）とを具備している。
前記複数の番組データの各々は、前記記憶装置（３）から記録媒体（１０）に移動するムーブ処理が実行可能か否かを表すムーブ情報を含んでいる。
前記制御装置（４）は、コンピュータであり、コンピュータプログラム（１３）である表示制御部（１４）、選択制御部（１５）、ムーブ制御部（１６）を具備している。
前記表示制御部（１４）は、ユーザによる番組表表示指示に応じて、前記記憶装置（３）に格納された前記複数の番組データを表す番組表画面（２０）を生成し、前記表示装置（６）に表示する（Ｓ１、Ｓ２、Ｓ３）。
前記選択制御部（１５）は、ユーザによる番組ムーブ指示に応じて、前記番組表画面（２０）が表す前記複数の番組データのうちの選択番組データ（３０）を選択する（Ｓ２１、Ｓ２２）。
前記ムーブ制御部（１６）は、前記選択番組データ（３０）の前記ムーブ情報が前記ムーブ処理の実行可能を表す場合、前記選択番組データ（３０）に対して前記ムーブ処理を実行する（Ｓ２３、Ｓ２４−ＹＥＳ、Ｓ２５）。
前記表示制御部（１４）は、前記選択番組データ（３０）に対して前記ムーブ処理が実行されたことを表す選択番組ムーブ実行情報（４０）を、前記番組表画面（２０）が表す前記選択番組データ（３０）に対応する部分に表示する（Ｓ２６）。
【００１３】
上述のように、制御装置（４）は、ユーザによる番組表表示指示により、記憶装置（３）に格納された複数の番組データを基にして番組表画面（２０）を構成し、表示装置（６）に表示している。ユーザが番組表画面（２０）を見て選択番組データ（３０）を選択し、制御装置（４）は、その選択番組データ（３０）に対してムーブ処理を実行する場合、選択番組データ（３０）を記憶装置（３）から読み出して記録媒体（１０）にコピー（格納）した後、著作権保護に従って、その選択番組データ（３０）を記憶装置（３）から消去しなければならない。この場合、番組表画面（２０）の一部分が消去される。即ち、番組表画面（２０）が表す選択番組データ（３０）に対応する部分は消去される。
番組表画面（２０）の一部分が消去された結果、せっかく見やすい番組表画面（２０）が表示装置（６）に表示されているにも関わらず、消去された部分（消去部分）に穴の空いたような空欄が表示される状況になってしまう。このため、ユーザにとって番組表画面（２０）の見栄えが悪くなってしまう。
また、ユーザは、後日に番組表画面（２０）の消去部分を見たときに、消去部分に対応する日時の番組データに対してムーブ処理が実行されたのか、その日時に番組データが放送されなかったのか、その日時に番組データが受信されなかったのか、を把握することができない。
この状態では、ユーザにとって利便性に欠ける。
そこで、本発明の第１の観点による放送処理装置（１）では、制御装置（４）は、選択番組データ（３０）に対してムーブ処理が実行されたことを表す選択番組ムーブ実行情報（４０）を、番組表画面（２０）が表す選択番組データ（３０）に対応する部分に表示する。即ち、番組表画面（２０）の消去部分に表示する。これにより、ユーザにとって番組表画面（２０）の見栄えが良くなる。
また、本発明の第１の観点による放送処理装置（１）では、制御装置（４）は、選択番組ムーブ実行情報（４０）を番組表画面（２０）の消去部分に表示することにより、ユーザは、選択番組ムーブ実行情報（４０）を見たときに、番組表画面（２０）上の選択番組ムーブ実行情報（４０）が表す部分に対してムーブ処理が実行されたことを把握することができる。即ち、ユーザは、選択番組ムーブ実行情報（４０）を見たときに、選択番組データ（３０）が記憶装置（３）から記録媒体（１０）に移動したことを把握することができる。
このように、本発明の第１の観点による放送処理装置（１）では、ユーザの利便性が向上する。
【００１４】
本発明の第２の観点による放送処理装置（１）について説明する。
本発明の放送処理装置（１）において、前記複数の番組データの各々は、番組を識別する番組識別子を含んでいる。
前記表示制御部（１４）は、ユーザによる前記番組表表示指示に応じて、前記記憶装置（３）に格納された前記複数の番組データの中から、前記番組識別子が同じであり、前記ムーブ情報が前記ムーブ処理の実行可能を表すｎ個（ｎは１以上の整数）の番組データ（３１、３２、３３）を検索する（Ｓ３１）。
前記表示制御部（１４）は、前記ｎ個の番組データ（３１、３２、３３）に対して前記ムーブ処理が可能な回数を表すムーブ可能回数ｎを生成する（Ｓ３２）。
前記ｎ個の番組データ（３１、３２、３３）は、前記選択番組データ（３０）を含んでいる。
前記表示制御部（１４）は、前記番組表画面（２０）を前記表示装置（６）に表示したとき（Ｓ３）、前記ムーブ可能回数ｎを、前記番組表画面（２０）が表す前記ｎ個の番組データ（３１、３２、３３）上に表示する（Ｓ３３）。
【００１５】
記憶装置（３）に格納された複数の番組データは、番組の内容が同一のｎ個の番組データを含んでいる。即ち、ｎ個の番組データは、最初に放送された１番目の番組データと、それに対して再放送された２番目からｎ番目までの番組データとを含んでいる。この場合、上述のように、ｎ個の番組データの番組識別子は、同じである。このように、選択番組データ（３０）と同じ番組データがｎ回放送されていれば、ユーザは、同じ番組データに対して最大でｎ回分のムーブ処理を制御装置（４）に実行させることができる。
しかし、ユーザは、選択番組データ（３０）と同じ番組データが何回放送されているかを把握するには、番組表画面（２０）をスクロールしてユーザ自身で検索しなければならない。または、番組識別子（番組ジャンルやタイトル等）をキーワードにして制御装置（４）に検索させなければならない。
この状態では、ユーザにとって利便性に欠ける。
そこで、本発明の第２の観点による放送処理装置（１）では、制御装置（４）は、番組表画面（２０）を表示装置（６）に表示したときに、ムーブ可能回数ｎを、番組表画面（２０）が表すｎ個の番組データ上に表示する。これにより、ユーザは、ムーブ可能回数ｎを見たときに、選択番組データ（３０）と同じ番組データがｎ回放送されていることを把握することができる。即ち、ユーザは、ムーブ可能回数ｎを見たときに、選択番組データ（３０）をムーブすることができる回数を把握することができる。
このように、本発明の第２の観点による放送処理装置（１）によれば、ユーザの利便性が更に向上する。
【００１６】
本発明の第３の観点による放送処理装置（１）について説明する。
本発明の放送処理装置（１）において、前記ムーブ可能回数ｎが２以上である（Ｓ４１−ＹＥＳ）。
この場合、前記ムーブ制御部（１６）は、ユーザが前記選択番組データ（３０）に対するムーブ決定指示を行なったとき（Ｓ２３）、前記ｎ個の番組データ（３１、３２、３３）（３２、３３）を、前記選択番組データ（３０；３３）を含む（ｎ−１）個の番組データ（３２、３３）（３３）と、それ以外の番組データである削除候補番組データ（３１）（３２）とに分ける（Ｓ４２）。
前記ムーブ制御部（１６）は、前記削除候補番組データ（３１）（３２）に対して前記ムーブ処理を実行する（Ｓ４３）。
前記表示制御部（１４）は、前記選択番組ムーブ実行情報（４０）として、前記削除候補番組データ（３１）（３２）に対して前記ムーブ処理が実行されたことを表す削除候補番組ムーブ実行情報を、前記番組表画面（２０）が表す前記削除候補番組データ（３１）（３２）に対応する部分に表示する（Ｓ４４）。
前記表示制御部（１４）は、前記ムーブ可能回数ｎに１をデクリメントしたムーブ可能回数（ｎ−１）を生成し（Ｓ４５）、前記番組表画面（２０）が表す前記（ｎ−１）個の番組データ（３２、３３）（３３）上に表示する（Ｓ４６）。
【００１７】
ムーブ可能回数ｎが２以上であるとき、制御装置（４）は、選択番組データ（３０）に対してムーブ処理を実行し、選択番組ムーブ実行情報（４０）を、番組表画面（２０）が表す選択番組データ（３０）に対応する部分に表示した場合、ユーザは、番組表画面（２０）をスクロールして選択番組データ（３０）と同じ番組データを探さなくてはならない。または、番組識別子（番組ジャンルやタイトル等）をキーワードにして制御装置（４）に検索させなければならない。
この状態では、ユーザにとって利便性に欠ける。
そこで、本発明の第３の観点による放送処理装置（１）では、ムーブ可能回数ｎが２以上であるときに、制御装置（４）は、選択番組データ（３０）に対してムーブ処理を実行する場合、ｎ個の番組データを、選択番組データ（３０）を含む（ｎ−１）個の番組データと、それ以外の番組データである削除候補番組データとに分ける。そこで、制御装置（４）は、削除候補番組データに対してムーブ処理を実行し、選択番組ムーブ実行情報（４０）として上記の削除候補番組ムーブ実行情報を、番組表画面（２０）が表す削除候補番組データに対応する部分に表示する。また、制御装置（４）は、ムーブ可能回数（ｎ−１）を、番組表画面（２０）が表す（ｎ−１）個の番組データ上に表示する。このとき、ムーブ可能回数ｎが１以上であり、番組表画面（２０）上に選択番組データ（３０）が表示されているため、ユーザは、番組表画面（２０）が表す選択番組データ（３０）に対して、再度、ムーブ処理を制御装置（４）に実行させることができる。このように、ユーザは、選択番組データ（３０）と同じ番組データを一度にムーブすることができる。
このように、本発明の第３の観点による放送処理装置（１）によれば、ユーザの利便性が更に向上する。
【００１８】
本発明の第４の観点による放送処理装置（１）について説明する。
本発明の放送処理装置（１）において、前記ムーブ可能回数ｎが１である（Ｓ４１−ＮＯ）。
この場合、前記ムーブ制御部（１６）は、ユーザが前記選択番組データ（３０；３３）に対する前記ムーブ決定指示を行なったとき（Ｓ２３）、前記選択番組データ（３０；３３）に対して前記ムーブ処理を実行する（Ｓ２５）。
前記表示制御部（１４）は、前記選択番組ムーブ実行情報（４０）を、前記番組表画面（２０）が表す前記選択番組データ（３０；３３）に対応する部分に表示する（Ｓ２６）。
【００１９】
本発明の第４の観点による放送処理装置（１）では、ムーブ可能回数ｎが１であるとき、上述した第１の観点と同じ効果を奏する。
【００２０】
本発明の第５の観点による放送処理装置（１）について説明する。
本発明の放送処理装置（１）において、前記表示制御部（１４）は、前記ムーブ制御部（１６）が前記選択番組データ（３０；３３）に対して前記ムーブ処理を実行したとき、ムーブ実行結果入力画面（５０）を前記表示装置（６）に表示する（Ｓ２６）（Ｓ４４）。
前記ムーブ実行結果入力画面（５０）は、前記記録媒体（１０）を識別する記録媒体識別子をユーザに入力させる記録媒体識別子入力欄（５２）を含んでいる。
前記表示制御部（１４）は、ユーザが前記記録媒体識別子を前記記録媒体識別子入力欄（５２）に入力したとき、前記記録媒体識別子を含む前記選択番組ムーブ実行情報（４０）を、前記番組表画面（２０）が表す前記選択番組データ（３０；３３）に対応する部分に表示する（Ｓ２６）（Ｓ４４）。
【００２１】
選択番組データ（３０）に対してムーブ処理が実行された場合、著作権保護に従って、番組表画面（２０）が表す選択番組データ（３０）に対応する部分（消去部分）には、選択番組データ（３０）に関連する情報（タイトル、出演者、…）が表示されてはならない場合がある。しかし、何らかの番組データが記憶装置（３）から記録媒体（１０）に移動した旨を選択番組ムーブ実行情報（４０）により通知するだけでは、どの記録媒体に選択番組データ（３０）が格納されたかを把握することができない。
この状態では、ユーザにとって利便性に欠ける。
そこで、本発明の第５の観点による放送処理装置（１）では、制御装置（４）は、ムーブ実行結果入力画面（５０）によって、記録媒体（１０）を識別する記録媒体識別子をユーザに入力させ、記録媒体識別子を含む選択番組ムーブ実行情報（４０）を、番組表画面（２０）が表す選択番組データ（３０）に対応する部分（消去部分）に表示する。これにより、ユーザは、選択番組ムーブ実行情報（４０）を見たときに、どの記録媒体に選択番組データ（３０）が格納されたかを把握することができる。
このように、本発明の第５の観点による放送処理装置（１）では、ユーザの利便性が更に向上する。
【００２２】
本発明の第６の観点による放送処理装置（１）について説明する。
本発明の放送処理装置（１）において、前記記録媒体（１０）は、携帯端末の記憶部である。
前記記録媒体識別子は、前記携帯端末の電話番号とメールアドレスとＭＡＣアドレスとＩＰアドレスとの少なくとも１つを含んでいる。
【００２３】
本発明の第６の観点による放送処理装置（１）では、記録媒体（１０）が携帯端末の記憶部（メモリ）であるとき、制御装置（４）は、ムーブ実行結果入力画面（５０）によって、上記の記録媒体識別子として携帯端末の電話番号とメールアドレスとＭＡＣアドレスとＩＰアドレスとの少なくとも１つを含む携帯端末識別子をユーザに入力させる。このとき、制御装置（４）は、上記の携帯端末識別子を含む選択番組ムーブ実行情報（４０）を、番組表画面（２０）が表す選択番組データ（３０）に対応する部分（消去部分）に表示する。これにより、ユーザは、選択番組ムーブ実行情報（４０）を見たときに、携帯端末に選択番組データ（３０）が格納されたことを把握することができる。また、ユーザが選択番組ムーブ実行情報（４０）を見たときに入力装置（９）を用いて上記の携帯端末識別子を指定した場合、制御装置（４）は、その携帯端末識別子に対応する携帯端末にアクセスしたり、問い合わせを行なうこともできる。
このように、本発明の第６の観点による放送処理装置（１）では、ユーザの利便性が更に向上する。
【００２４】
本発明の第７の観点による放送処理装置（１）について説明する。
本発明の放送処理装置（１）において、前記受信部（２−１、２−２、２−３）は、複数のチャンネルに対して番組データ群を前記記憶装置（３；３−１、３−２、３−３）に格納する。
前記複数の番組データは、前記複数のチャンネルに対する前記番組データ群を表している。
【発明の効果】
【００２５】
以上により、本発明の放送処理装置によれば、ユーザの利便性が向上する。
本発明の放送処理装置によれば、ユーザは、ユーザが選択した番組データが記憶装置から記録媒体に移動したことを把握することができる。
本発明の放送処理装置によれば、ユーザは、ユーザが選択した番組データがどの記録媒体に格納されたかを把握することができる。
本発明の放送処理装置によれば、ユーザは、ユーザが選択した番組データをムーブすることができる回数を把握することができる。
本発明の放送処理装置によれば、ユーザは、ユーザが選択した番組データと同じ番組データを一度にムーブすることができる。
【発明を実施するための最良の形態】
【００２６】
以下に添付図面を参照して、本発明の放送処理装置について詳細に説明する。
【００２７】
（第１実施形態）
図１は、本発明の第１実施形態による放送処理装置１の構成を示すブロック図である。
放送処理装置１は、複数の受信部を具備している。複数の受信部は、それぞれ複数のチャンネルに対して放送処理装置１に設けられている。本実施例では、チャンネルの数を３とし、複数の受信部をそれぞれ受信部２−１、２−２、２−３と称する。受信部２−１、２−２、２−３は、それぞれサーバ１００−１、１００−２、１００−３にネットワーク２００を介して接続されている。
放送処理装置１は、更に、ハードディスクドライブである記憶装置３を具備している。記憶装置３は、それぞれ受信部２−１、２−２、２−３に対応する格納領域３−１、３−２、３−３を有している。
放送処理装置１は、更に、制御装置４と、出力装置５と、入力装置９と、収納部８とを具備している。出力装置５は、表示装置６と、スピーカ７とを含んでいる。入力装置９は、リモートコントロール端末を含んでいる。収納部８は、記録媒体１０を収納する。記録媒体１０としては、ＤＶＤ（Ｄｉｇｉｔａｌ  Ｖｉｄｅｏ  Ｄｉｓｋ）が例示される。
【００２８】
図２は、記憶装置３に格納される内容を示している。
サーバ１００−１、１００−２、１００−３は、それぞれ、テレビ放送用の番組を表す番組データを送信する。サーバ１００−１、１００−２、１００−３は、それぞれ、第１ｃｈ（チャンネル）、第２ｃｈ、第３ｃｈを表している。受信部２−１、２−２、２−３は、それぞれ、チャンネルに対する番組データを受信し、日時（放送日時）に対応付けて記憶装置３の格納領域３−１、３−２、３−３に格納する。
ここで、本実施例では、記憶装置３の格納領域３−１、３−２、３−３に格納される番組データ群の各々は、その放送時間を１時間とする。また、番組データの放送時間を１時間としたとき、記憶装置３の格納領域３−１、３−２、３−３は、例えば、１０年分の番組データ群を格納できる容量を有している。また、記憶装置３の格納領域３−１、３−２、３−３に１０年分の番組データ群が格納されている場合、１０年分の番組データ群のうち、現在日時である最新の番組データが格納され、最も日時の古い番組データが消去される。
【００２９】
図３は、番組データの構成を示している。
番組データは、番組の動画像を表す動画像データと、番組の音声を表す音声データと、番組情報と、著作権情報とを含んでいる。
番組情報は、チャンネルを表すチャンネル情報と、放送日時を表す放送日時情報と、番組識別子とを含んでいる。番組識別子は、番組のタイトルを含んでいる。
著作権情報は、ムーブ処理が実行可能か否かを表すムーブ情報と、ポーズ処理が実行可能か否かを表すポーズ情報とを含んでいる。本実施例では、ポーズ処理、ポーズ情報についての説明を省略する。
【００３０】
図４は、制御装置４の構成を示している。
制御装置４は、コンピュータである。制御装置４は、コンピュータの実行部であるＣＰＵ（Ｃｅｎｔｒａｌ  Ｐｒｏｃｅｓｓｉｎｇ  Ｕｎｉｔ）１１と、記憶部１２と、デコーダ１７とを具備する。記憶部１２には、ＣＰＵ１１が実行するためのコンピュータプログラム１３が格納されている。コンピュータプログラム１３は、表示制御部１４、選択制御部１５、ムーブ制御部１６を含んでいる。
【００３１】
次に、放送処理装置１の動作について説明する。
【００３２】
ユーザは、入力装置９を用いて番組表表示指示を制御装置４に行なう（図５のステップＳ１−ＹＥＳ）。
このとき、図８に示されるように、制御装置４の表示制御部１４は、ユーザによる番組表表示指示に応じて、記憶装置３に格納された複数の番組データを表す番組表画面２０を生成する（図５のステップＳ２）。番組表画面２０は、複数の番組データは、記憶装置３の格納領域３−１、３−２、３−３に格納された番組データ群を表している。
制御装置４の表示制御部１４は、その番組表画面２０のうちの一画面分を表示装置６に表示する（図５のステップＳ３）。図８に示されるように、表示制御部１４は、表示装置６に表示される番組表画面２０として、現在日時の番組データを含む一画面２１を表示装置６に表示する。ユーザが入力装置９を用いて古い日時を表す方向へ番組表画面２０をスクロールしたときに、表示制御部１４は、そのときの日時の番組データを含む一画面２２を表示装置６に表示する。ユーザが入力装置９を用いて更に古い日時を表す方向へ番組表画面２０をスクロールしたときに、表示制御部１４は、そのときの日時の番組データを含む一画面２３を表示装置６に表示する。
制御装置４は、ユーザの指示により、番組選択処理を実行する（図５のステップＳ４）。
【００３３】
番組選択処理（ステップＳ４）の一部として番組出力処理について説明する。
【００３４】
いま、制御装置４の表示制御部１４は、番組表画面２０として、図８に示される一画面２１を表示装置６に表示している。このとき、ユーザは、番組表画面２０が表す複数の番組データのうちの選択番組データ３０を視聴するために、入力装置９を用いて番組データ出力指示を制御装置４に行なう（図６のステップＳ１１−ＹＥＳ）。
制御装置４の選択制御部１５は、番組データ出力指示に応じて、番組表画面２０が表す選択番組データ３０を選択する（図６のステップＳ１２）。
ユーザは、入力装置９を用いて出力決定指示を制御装置４に行なう（図６のステップＳ１３−ＹＥＳ）。
制御装置４の表示制御部１４は、出力決定指示に応じて、記憶装置３に格納された選択番組データ３０をデコーダ１７によりデコードし、その選択番組データ３０の動画像データを表示装置６に表示し、その選択番組データ３０の音声データをスピーカ７に出力する（図６のステップＳ１４）。このように、ユーザは、記憶装置３に格納された選択番組データ３０を視聴することができる。
【００３５】
番組選択処理（ステップＳ４）の一部として番組ムーブ処理について説明する。
【００３６】
いま、制御装置４の表示制御部１４は、番組表画面２０として、図８に示される一画面２１を表示装置６に表示している。このとき、ユーザは、番組表画面２０が表す複数の番組データのうちの選択番組データ３０に対してムーブ処理を実行させるために、入力装置９を用いて番組ムーブ指示を制御装置４に行なう（図７のステップＳ２１−ＹＥＳ）。
制御装置４の選択制御部１５は、番組データ出力指示に応じて、番組表画面２０が表す選択番組データ３０を選択する（図７のステップＳ２２）。
ユーザは、入力装置９を用いてムーブ決定指示を制御装置４に行なう（図７のステップＳ２３−ＹＥＳ）。
制御装置４のムーブ制御部１６は、選択番組データ３０のムーブ情報がムーブ処理の実行可能を表すか否かを調べる（図７のステップＳ２４）。
ここで、選択番組データ３０のムーブ情報がムーブ処理の実行可能を表さない場合（図７のステップＳ２４−ＮＯ）、制御装置４は、番組選択処理（ステップＳ４）の番組ムーブ処理を終了する。
【００３７】
一方、選択番組データ３０のムーブ情報がムーブ処理の実行可能を表す場合（図７のステップＳ２４−ＹＥＳ）、制御装置４のムーブ制御部１６は、選択番組データ３０に対してムーブ処理を実行する（図７のステップＳ２５）。即ち、ムーブ制御部１６は、記憶装置３に格納された選択番組データ３０を読み出して記録媒体１０にコピー（格納）し、記憶装置３に格納された選択番組データ３０を消去する。
このとき、図９に示されるように、制御装置４の表示制御部１４は、選択番組ムーブ実行情報４０を、番組表画面２０が表す選択番組データ３０に対応する部分に表示する（図７のステップＳ２６）。選択番組ムーブ実行情報４０は、選択番組データ３０に対してムーブ処理が実行されたことを表している。このように、ユーザは、選択番組データ３０を記憶装置３から記録媒体１０に移動するムーブ処理を放送処理装置１に実行させることにより、記録媒体１０によりユーザの都合がいいときに選択番組データ３０を楽しむことができる。
また、ステップＳ２６にて、図１０に示されるように、表示制御部１４は、記憶装置３の選択番組データ３０が格納されていた部分に、選択番組ムーブ実行情報４０を格納する。これにより、再度、番組表画面２０を表示装置６に表示するとき（ステップＳ３）、番組表画面２０が表す選択番組データ３０に対応する部分には、選択番組ムーブ実行情報４０が表示される。
【００３８】
上記のステップＳ２６について、詳細に説明する。
【００３９】
まず、ステップＳ３にて、図１１に示されるように、制御装置４の表示制御部１４は、番組表画面２０の一画面２１が表す選択番組データ３０として、その番組識別子であるタイトル「プロＡＢ開発」を表示装置６に表示している。
ステップＳ２６にて、図１２に示されるように、制御装置４の表示制御部１４は、ムーブ実行結果入力画面５０を番組表画面２０の一画面２１に重ねて表示する。ムーブ実行結果入力画面５０は、日付をユーザに入力させる日付入力欄５１と、記録媒体１０を識別する記録媒体識別子をユーザに入力させる記録媒体識別子入力欄５２と、ユーザを識別するユーザ識別子をユーザに入力させるユーザ識別子入力欄５３とを含んでいる。
ステップＳ２６にて、ユーザは、入力装置９を用いて、日付を日付入力欄５１に入力し、記録媒体１０の記録媒体識別子として記録媒体名を記録媒体識別子入力欄５２に入力し、ユーザのユーザ識別子としてユーザ名をユーザ識別子入力欄５３に入力する。このとき、図１３に示されるように、制御装置４の表示制御部１４は、日付と記録媒体名とユーザ名とを含む選択番組ムーブ実行情報４０を、番組表画面２０が表す選択番組データ３０に対応する部分に表示する。また、表示制御部１４は、記憶装置３の選択番組データ３０が格納されていた部分に、選択番組ムーブ実行情報４０を格納する。
【００４０】
記録媒体１０は、ＤＶＤに限らず、携帯端末の記憶部（メモリ）である場合もある。その携帯端末は、有線ネットワークを介して制御装置４と接続される。有線ネットワークによる接続としては、ＬＡＮ（Ｌｏｃａｌ  Ａｒｅａ  Ｎｅｔｗｏｒｋ）、ＵＳＢ（Ｕｎｉｖｅｒｓａｌ  Ｓｅｒｉａｌ  Ｂｕｓ）が例示される。
この場合、ステップＳ２６にて、ユーザは、入力装置９を用いて、日付を日付入力欄５１に入力し、上記の記録媒体名として、携帯端末の電話番号とメールアドレスとＭＡＣアドレスとＩＰアドレスとの少なくとも１つを含む携帯端末識別子を記録媒体識別子入力欄５２に入力し、上記のユーザ名をユーザ識別子入力欄５３に入力する。このとき、制御装置４の表示制御部１４は、日付と記録媒体名（電話番号、メールアドレス、ＭＡＣアドレス、ＩＰアドレス）とユーザ名とを含む選択番組ムーブ実行情報４０を、番組表画面２０が表す選択番組データ３０に対応する部分に表示する。また、表示制御部１４は、記憶装置３の選択番組データ３０が格納されていた部分に、選択番組ムーブ実行情報４０を格納する。ユーザが入力装置９を用いて上記の携帯端末識別子を指定した場合、制御装置４の表示制御部１４は、その携帯端末識別子に対応する携帯端末にアクセスしたり、問い合わせを行なう。
【００４１】
ここで、本発明の第１実施形態による放送処理装置１の効果について説明する。
【００４２】
上述のように、制御装置４は、ユーザによる番組表表示指示により、記憶装置３に格納された複数の番組データを基にして番組表画面２０を構成し、表示装置６に表示している。ユーザが番組表画面２０を見て選択番組データ３０を選択し、制御装置４は、その選択番組データ３０に対してムーブ処理を実行する場合、選択番組データ３０を記憶装置３から読み出して記録媒体１０にコピー（格納）した後、著作権保護に従って、その選択番組データ３０を記憶装置３から消去しなければならない。この場合、番組表画面２０の一部分が消去される。即ち、番組表画面２０が表す選択番組データ３０に対応する部分は消去される。
番組表画面２０の一部分が消去された結果、せっかく見やすい番組表画面２０が表示装置６に表示されているにも関わらず、消去された部分（消去部分）に穴の空いたような空欄が表示される状況になってしまう。このため、ユーザにとって番組表画面２０の見栄えが悪くなってしまう。
また、ユーザは、後日に番組表画面２０の消去部分を見たときに、消去部分に対応する日時の番組データに対してムーブ処理が実行されたのか、その日時に番組データが放送されなかったのか、その日時に番組データが受信されなかったのか、を把握することができない。
この状態では、ユーザにとって利便性に欠ける。
【００４３】
そこで、本発明の第１実施形態による放送処理装置１では、制御装置４は、選択番組データ３０に対してムーブ処理が実行されたことを表す選択番組ムーブ実行情報４０を、番組表画面２０が表す選択番組データ３０に対応する部分に表示する。即ち、番組表画面２０の消去部分に表示する。これにより、ユーザにとって番組表画面２０の見栄えが良くなる。
また、本発明の第１実施形態による放送処理装置１では、制御装置４は、選択番組ムーブ実行情報４０を番組表画面２０の消去部分に表示することにより、ユーザは、選択番組ムーブ実行情報４０を見たときに、番組表画面２０上の選択番組ムーブ実行情報４０が表す部分に対してムーブ処理が実行されたことを把握することができる。即ち、ユーザは、選択番組ムーブ実行情報４０を見たときに、選択番組データ３０が記憶装置３から記録媒体１０に移動したことを把握することができる。
このように、本発明の第１実施形態による放送処理装置１では、ユーザの利便性が向上する。
【００４４】
選択番組データ３０に対してムーブ処理が実行された場合、著作権保護に従って、番組表画面２０が表す選択番組データ３０に対応する部分（消去部分）には、選択番組データ３０に関連する情報（タイトル、出演者、…）が表示されてはならない場合がある。しかし、何らかの番組データが記憶装置３から記録媒体１０に移動した旨を選択番組ムーブ実行情報４０により通知するだけでは、どの記録媒体に選択番組データ３０が格納されたかを把握することができない。
この状態では、ユーザにとって利便性に欠ける。
【００４５】
そこで、本発明の第１実施形態による放送処理装置１では、制御装置４は、ムーブ実行結果入力画面５０によって、記録媒体１０を識別する記録媒体識別子をユーザに入力させ、記録媒体識別子を含む選択番組ムーブ実行情報４０を、番組表画面２０が表す選択番組データ３０に対応する部分（消去部分）に表示する。これにより、ユーザは、選択番組ムーブ実行情報４０を見たときに、どの記録媒体に選択番組データ３０が格納されたかを把握することができる。
このように、本発明の第１実施形態による放送処理装置１では、ユーザの利便性が更に向上する。
【００４６】
本発明の放送処理装置１では、記録媒体１０が携帯端末の記憶部（メモリ）であるとき、制御装置４は、ムーブ実行結果入力画面５０によって、上記の記録媒体識別子として携帯端末の電話番号とメールアドレスとの少なくとも１つを含む携帯端末識別子をユーザに入力させる。このとき、制御装置４は、上記の携帯端末識別子を含む選択番組ムーブ実行情報４０を、番組表画面２０が表す選択番組データ３０に対応する部分（消去部分）に表示する。これにより、ユーザは、選択番組ムーブ実行情報４０を見たときに、携帯端末に選択番組データ３０が格納されたことを把握することができる。また、ユーザが選択番組ムーブ実行情報４０を見たときに入力装置９を用いて上記の携帯端末識別子を指定した場合、制御装置４の表示制御部１４は、その携帯端末識別子に対応する携帯端末にアクセスしたり、問い合わせを行なうこともできる。
このように、本発明の放送処理装置１では、ユーザの利便性が更に向上する。
【００４７】
（第２実施形態）
本発明の第２実施形態による放送処理装置１では、第１実施形態と重複する説明を省略する。また、第２実施形態では、第１実施形態と同じ構成要素に同符号を付している。
【００４８】
図１４に示されるように、記憶装置３に格納された複数の番組データは、番組の内容が同一のｎ個（ｎは１以上の整数）の番組データを含んでいる。ｎを３とした場合、ｎ個の番組データ３１、３２、３３は、最初に放送された１番目の番組データ３１と、それに対して再放送された２番目、３番目の番組データ３２、３３とを含んでいる。この場合、番組データ３１、３２、３３の番組識別子は、同じである。
【００４９】
次に、放送処理装置１の動作について説明する。
ここで、番組選択処理（ステップＳ４）の一部である番組出力処理は、第１実施形態と同じであるため、説明を省略する。
また、上述した選択番組データ３０を番組データ３３とし、番組データ３１、３２、３３のムーブ情報は、ムーブ処理の実行可能を表しているものとする。
【００５０】
ユーザは、入力装置９を用いて番組表表示指示を制御装置４に行なう（図１５のステップＳ１−ＹＥＳ）。
このとき、図８に示されるように、制御装置４の表示制御部１４は、ユーザによる番組表表示指示に応じて、記憶装置３に格納された複数の番組データを表す番組表画面２０を生成する（図１５のステップＳ２）。
同時に、制御装置４の表示制御部１４は、記憶装置３に格納された複数の番組データの中から、番組識別子が同じであり、ムーブ情報がムーブ処理の実行可能を表すｎ個（ｎは１以上の整数）の番組データ３１、３２、３３を検索する（図１５のステップＳ３１）。
制御装置４の表示制御部１４は、この検索結果により、ｎ個の番組データ３１、３２、３３に対してムーブ処理が可能な回数を表すムーブ可能回数ｎ（ｎ＝３）を生成する（図１５のステップＳ３２）。
【００５１】
その後、制御装置４の表示制御部１４は、番組表画面２０のうちの一画面分を表示装置６に表示する（図１５のステップＳ３）。図１７に示されるように、表示制御部１４は、表示装置６に表示される番組表画面２０として、現在日時の番組データ３３を含む一画面２１を表示装置６に表示する。ユーザが入力装置９を用いて古い日時を表す方向へ番組表画面２０をスクロールしたときに、表示制御部１４は、そのときの日時の番組データ３２を含む一画面２２を表示装置６に表示する。ユーザが入力装置９を用いて更に古い日時を表す方向へ番組表画面２０をスクロールしたときに、表示制御部１４は、そのときの日時の番組データ３１を含む一画面２３を表示装置６に表示する。
制御装置４の表示制御部１４は、番組表画面２０を表示装置６に表示したとき、上記のムーブ可能回数ｎ（ｎ＝３）を、番組表画面２０が表すｎ個の番組データ３１、３２、３３上に表示する（図１５のステップＳ３３）。例えば、図１８に示されるように、制御装置４の表示制御部１４は、番組表画面２０の一画面２１が表す番組データ３３（選択番組データ３０）として、その番組識別子であるタイトル「プロＡＢ開発」と、ムーブ可能回数ｎ（ｎ＝３）とを表示装置６に表示している。
その後、制御装置４は、ユーザの指示により、番組選択処理を実行する（図１５のステップＳ４）。
【００５２】
ここで、本発明の第２実施形態による放送処理装置１の効果の一部について説明する。
【００５３】
上述のように、記憶装置３に格納された複数の番組データは、番組の内容が同一のｎ個の番組データを含んでいる。即ち、ｎ個の番組データは、最初に放送された１番目の番組データと、それに対して再放送された２番目からｎ番目までの番組データとを含んでいる。この場合、上述のように、ｎ個の番組データの番組識別子は、同じである。このように、選択番組データ３０と同じ番組データがｎ回放送されていれば、ユーザは、同じ番組データに対して最大でｎ回分のムーブ処理を制御装置４に実行させることができる。
しかし、ユーザは、選択番組データ３０と同じ番組データが何回放送されているかを把握するには、番組表画面２０をスクロールしてユーザ自身で検索しなければならない。または、番組識別子（番組ジャンルやタイトル等）をキーワードにして制御装置４に検索させなければならない。
この状態では、ユーザにとって利便性に欠ける。
【００５４】
そこで、本発明の第２実施形態による放送処理装置１では、制御装置４は、番組表画面２０を表示装置６に表示したときに、ムーブ可能回数ｎを、番組表画面２０が表すｎ個の番組データ上に表示する。これにより、ユーザは、ムーブ可能回数ｎを見たときに、選択番組データ３０と同じ番組データがｎ回放送されていることを把握することができる。即ち、ユーザは、ムーブ可能回数ｎを見たときに、選択番組データ３０をムーブすることができる回数を把握することができる。
このように、本発明の第２実施形態による放送処理装置１によれば、ユーザの利便性が更に向上する。
【００５５】
次に、番組選択処理（ステップＳ４）の一部として番組ムーブ処理について説明する。
【００５６】
いま、制御装置４の表示制御部１４は、番組表画面２０として、図１７に示される一画面２１を表示装置６に表示している。このとき、ユーザは、番組表画面２０が表す複数の番組データのうちの番組データ３３（選択番組データ３０）に対してムーブ処理を実行させるために、入力装置９を用いて番組ムーブ指示を制御装置４に行なう（図１６ＡのステップＳ２１−ＹＥＳ）。
制御装置４の選択制御部１５は、番組データ出力指示に応じて、番組表画面２０が表す番組データ３３（選択番組データ３０）を選択する（図１６ＡのステップＳ２２）。
ユーザは、入力装置９を用いてムーブ決定指示を制御装置４に行なう（図１６ＡのステップＳ２３−ＹＥＳ）。
制御装置４のムーブ制御部１６は、番組データ３３のムーブ情報がムーブ処理の実行可能を表すか否かを調べる（図１６ＡのステップＳ２４）。
ここで、番組データ３３のムーブ情報がムーブ処理の実行可能を表さない場合（図１６ＡのステップＳ２４−ＮＯ）、制御装置４は、番組選択処理（ステップＳ４）の番組ムーブ処理を終了する。
【００５７】
一方、番組データ３３（選択番組データ３０）のムーブ情報は、ムーブ処理の実行可能を表している（図１６ＡのステップＳ２４−ＹＥＳ）。また、番組表画面２０が表す番組データ３３上に表示されたムーブ可能回数ｎは、２以上である（図１６ＡのステップＳ４１−ＹＥＳ）。この場合、制御装置４のムーブ制御部１６は、ｎ個の番組データ３１、３２、３３を、番組データ３３（選択番組データ３０）を含む（ｎ−１）個の番組データ３２、３３と、それ以外の番組データ３１である削除候補番組データとに分ける（図１６ＢのステップＳ４２）。削除候補番組データは、ｎ個の番組データ３１、３２、３３のうち、最も日時が古い番組データ３１であることが好ましい。
制御装置４のムーブ制御部１６は、番組データ３１（削除候補番組データ）に対してムーブ処理を実行する（図１６ＢのステップＳ４３）。即ち、ムーブ制御部１６は、記憶装置３に格納された番組データ３１を読み出して記録媒体１０にコピー（格納）し、記憶装置３に格納された番組データ３１を消去する。
【００５８】
このとき、制御装置４の表示制御部１４は、上記のムーブ実行結果入力画面５０を番組表画面２０の一画面２１に重ねて表示する（図１６ＢのステップＳ４４）。
ステップＳ４４にて、ユーザは、入力装置９を用いて、日付を日付入力欄５１に入力し、記録媒体１０を識別する記録媒体識別子として記録媒体名を記録媒体識別子入力欄５２に入力し、ユーザを識別するユーザ識別子としてユーザ名をユーザ識別子入力欄５３に入力する。このとき、図１９に示されるように、制御装置４の表示制御部１４は、選択番組ムーブ実行情報４０として削除候補番組ムーブ実行情報を、番組表画面２０が表す番組データ３１に対応する部分に表示する。この削除候補番組ムーブ実行情報は、日付と記録媒体名とユーザ名とを含み、番組データ３１（削除候補番組データ）に対してムーブ処理が実行されたことを表している。
また、ステップＳ４４にて、図２０に示されるように、表示制御部１４は、記憶装置３の番組データ３１（削除候補番組データ）が格納されていた部分に、選択番組ムーブ実行情報４０を格納する。
【００５９】
制御装置４の表示制御部１４は、上記のムーブ可能回数ｎに１をデクリメントしたムーブ可能回数（ｎ−１）を生成する（図１６ＢのステップＳ４５）。
制御装置４の表示制御部１４は、ムーブ可能回数（ｎ−１）を、番組表画面２０が表す（ｎ−１）個の番組データ３２、３３上に表示する（図１６ＢのステップＳ４６）。
【００６０】
次に、制御装置４の表示制御部１４は、上記（ｎ−１）をｎ（ｎ＝２）とし（図１６ＢのステップＳ４７）、ユーザにより終了指示が行なわれた場合（図１６ＢのステップＳ４８−ＹＥＳ）、制御装置４は、番組選択処理（ステップＳ４）の番組ムーブ処理を終了する。
一方、ユーザにより終了指示が行なわれない場合（図１６ＢのステップＳ４８−ＮＯ）、ステップＳ２１にて、制御装置４は、ユーザにより番組ムーブ指示が行なわれるのを待つ。番組ムーブ指示が再度行なわれた場合、番組データ３２について上記のステップＳ２１−ＹＥＳ、Ｓ２２、Ｓ２３−ＹＥＳ、Ｓ２４−ＹＥＳ、Ｓ４１−ＹＥＳ、Ｓ４２〜Ｓ４６を実行する。
【００６１】
次に、制御装置４の表示制御部１４は、上記（ｎ−１）をｎ（ｎ＝１）とし（図１６ＢのステップＳ４７）、ユーザにより終了指示が行なわれた場合（図１６ＢのステップＳ４８−ＹＥＳ）、制御装置４は、番組選択処理（ステップＳ４）の番組ムーブ処理を終了する。
一方、ユーザにより終了指示が行なわれない場合（図１６ＢのステップＳ４８−ＮＯ）、ステップＳ２１にて、制御装置４は、ユーザにより番組ムーブ指示が行なわれるのを待つ。番組ムーブ指示が再度行なわれた場合、番組データ３３について上記のステップＳ２１−ＹＥＳ、Ｓ２２、Ｓ２３−ＹＥＳ、Ｓ２４−ＹＥＳ、Ｓ４１−ＮＯ、Ｓ２５、Ｓ２６を実行する。
【００６２】
即ち、番組データ３３（選択番組データ３０）のムーブ情報は、ムーブ処理の実行可能を表している（図１６ＡのステップＳ２４−ＹＥＳ）。また、番組表画面２０が表す番組データ３３上に表示されたムーブ可能回数ｎは、１である（図１６ＡのステップＳ４１−ＮＯ）。この場合、制御装置４のムーブ制御部１６は、番組データ３３（選択番組データ３０）に対してムーブ処理を実行する（図７のステップＳ２５）。即ち、ムーブ制御部１６は、記憶装置３に格納された番組データ３３（選択番組データ３０）を読み出して記録媒体１０にコピー（格納）し、記憶装置３に格納された番組データ３３を消去する。
【００６３】
このとき、制御装置４の表示制御部１４は、上記のムーブ実行結果入力画面５０を番組表画面２０の一画面２１に重ねて表示する（図１６ＢのステップＳ２６）。
ステップＳ２６にて、ユーザは、入力装置９を用いて、日付を日付入力欄５１に入力し、記録媒体１０を識別する記録媒体識別子として記録媒体名を記録媒体識別子入力欄５２に入力し、ユーザを識別するユーザ識別子としてユーザ名をユーザ識別子入力欄５３に入力する。このとき、制御装置４の表示制御部１４は、選択番組ムーブ実行情報４０を、番組表画面２０が表す番組データ３３（選択番組データ３０）に対応する部分に表示する。この選択番組ムーブ実行情報４０は、日付と記録媒体名とユーザ名とを含み、番組データ３３（選択番組データ３０）に対してムーブ処理が実行されたことを表している。
また、ステップＳ２６にて、表示制御部１４は、記憶装置３の番組データ３３（選択番組データ３０）が格納されていた部分に、選択番組ムーブ実行情報４０を格納する。
【００６４】
ここで、本発明の第２実施形態による放送処理装置１の効果の一部について説明する。
【００６５】
ムーブ可能回数ｎが２以上であるとき、制御装置４は、選択番組データ３０に対してムーブ処理を実行し、選択番組ムーブ実行情報４０を、番組表画面２０が表す選択番組データ３０に対応する部分に表示した場合、ユーザは、番組表画面２０をスクロールして選択番組データ３０と同じ番組データを探さなくてはならない。または、番組識別子（番組ジャンルやタイトル等）をキーワードにして制御装置４に検索させなければならない。
この状態では、ユーザにとって利便性に欠ける。
【００６６】
そこで、本発明の第２実施形態による放送処理装置１では、ムーブ可能回数ｎが２以上であるときに、制御装置４は、選択番組データ３０に対してムーブ処理を実行する場合、ｎ個の番組データを、選択番組データ３０を含む（ｎ−１）個の番組データと、それ以外の番組データである削除候補番組データとに分ける。そこで、制御装置４は、削除候補番組データに対してムーブ処理を実行し、選択番組ムーブ実行情報４０として上記の削除候補番組ムーブ実行情報を、番組表画面２０が表す削除候補番組データに対応する部分に表示する。また、制御装置４は、ムーブ可能回数（ｎ−１）を、番組表画面２０が表す（ｎ−１）個の番組データ上に表示する。このとき、ムーブ可能回数ｎが１以上であり、番組表画面２０上に選択番組データ３０が表示されているため、ユーザは、番組表画面２０が表す選択番組データ３０に対して、再度、ムーブ処理を制御装置４に実行させることができる。このように、ユーザは、選択番組データ３０と同じ番組データを一度にムーブすることができる。
このように、本発明の第２実施形態による放送処理装置１によれば、ユーザの利便性が更に向上する。
【００６７】
本発明の第２実施形態による放送処理装置１では、ムーブ可能回数ｎが１であるとき、上述した第１実施形態と同じ効果を奏する。
【００６８】
以上の説明により、本発明の放送処理装置１によれば、ユーザの利便性が向上する。
本発明の放送処理装置１によれば、ユーザは、ユーザが選択した選択番組データ３０が記憶装置３から記録媒体１０に移動したことを把握することができる。
本発明の放送処理装置１によれば、ユーザは、ユーザが選択した選択番組データ３０がどの記録媒体に格納されたかを把握することができる。
本発明の放送処理装置１によれば、ユーザは、ユーザが選択した選択番組データ３０をムーブすることができる回数を把握することができる。
本発明の放送処理装置１によれば、ユーザは、ユーザが選択した選択番組データ３０と同じ番組データを一度にムーブすることができる。
【図面の簡単な説明】
【００６９】
【図１】図１は、本発明の放送処理装置１の構成を示すブロック図である。（第１実施形態、第２実施形態）
【図２】図２は、本発明の放送処理装置１の記憶装置３に格納される内容を示している。（第１実施形態）
【図３】図３は、本発明の放送処理装置１に適用される番組データの構成を示している。（第１実施形態、第２実施形態）
【図４】図４は、本発明の放送処理装置１の制御装置４の構成を示している。（第１実施形態、第２実施形態）
【図５】図５は、本発明の放送処理装置１の動作を示すフローチャートである。（第１実施形態）
【図６】図６は、本発明の放送処理装置１の動作の一部である番組選択処理として番組出力処理を示すフローチャートである。（第１実施形態、第２実施形態）
【図７】図７は、本発明の放送処理装置１の動作の一部である番組選択処理として番組ムーブ処理を示すフローチャートである。（第１実施形態）
【図８】図８は、本発明の放送処理装置１に適用される番組表画面２０を示している。（第１実施形態）
【図９】図９は、本発明の放送処理装置１に適用される番組表画面２０を示している。（第１実施形態）
【図１０】図１０は、本発明の放送処理装置１の記憶装置３に格納される内容を示している。（第１実施形態）
【図１１】図１１は、本発明の放送処理装置１の動作を説明するための図である。（第１実施形態、第２実施形態）
【図１２】図１２は、本発明の放送処理装置１に適用されるムーブ実行結果入力画面５０を示している。（第１実施形態、第２実施形態）
【図１３】図１３は、本発明の放送処理装置１の動作を説明するための図である。（第１実施形態、第２実施形態）
【図１４】図１４は、本発明の放送処理装置１の記憶装置３に格納される内容を示している。（第２実施形態）
【図１５】図１５は、本発明の放送処理装置１の動作を示すフローチャートである。（第２実施形態）
【図１６Ａ】図１６Ａは、本発明の放送処理装置１の動作の一部である番組選択処理として番組ムーブ処理を示すフローチャートである。（第２実施形態）
【図１６Ｂ】図１６Ｂは、本発明の放送処理装置１の動作の一部である番組選択処理として番組ムーブ処理を示すフローチャートである。（第２実施形態）
【図１７】図１７は、本発明の放送処理装置１に適用される番組表画面２０を示している。（第２実施形態）
【図１８】図１８は、本発明の放送処理装置１の動作を説明するための図である。（第２実施形態）
【図１９】図１９は、本発明の放送処理装置１に適用される番組表画面２０を示している。（第２実施形態）
【図２０】図２０は、本発明の放送処理装置１の記憶装置３に格納される内容を示している。（第２実施形態）
【符号の説明】
【００７０】
１    放送処理装置
２−１、２−２、２−３    受信部
３    記憶装置
３−１、３−２、３−３    格納領域
４    制御装置
５    出力装置
６    表示装置
７    スピーカ
８    収納部
９    入力装置
１０    記録媒体
１１    ＣＰＵ
１２    記憶部
１３    コンピュータプログラム
１４    表示制御部
１５    選択制御部
１６    ムーブ制御部
１７    デコーダ
２０    番組表画面
２１、２２、２３    一画面
３０    選択番組データ
３１、３２、３３    番組データ
４０    選択番組ムーブ実行情報
５０    ムーブ実行結果入力画面
５１    日付入力欄
５２    記録媒体識別子入力欄
５３    ユーザ識別子入力欄
１００−１、１００−２、１００−３    サーバ
２００    ネットワーク
【図１】
2006279503.tif 000003
【図２】
2006279503.tif 000004
【図３】
2006279503.tif 000005
【図４】
2006279503.tif 000006
【図５】
2006279503.tif 000007
【図６】
2006279503.tif 000008
【図７】
2006279503.tif 000009
【図８】
2006279503.tif 000010
【図９】
2006279503.tif 000011
【図１０】
2006279503.tif 000012
【図１１】
2006279503.tif 000013
【図１２】
2006279503.tif 000014
【図１３】
2006279503.tif 000015
【図１４】
2006279503.tif 000016
【図１５】
2006279503.tif 000017
【図１６Ａ】
2006279503.tif 000018
【図１６Ｂ】
2006279503.tif 000019
【図１７】
2006279503.tif 000020
【図１８】
2006279503.tif 000021
【図１９】
2006279503.tif 000022
【図２０】
2006279503.tif 000023